(57)【要約】次のようなアプリケーションが開示される。このアプリケーションは、リモートの画像提供装置から画像コンテンツを受信する画像コンテンツ受信モジュールを含み、さらに画像コンテンツ受信モジュールには、このアプリケーションを保持している通信装置のグラフィカル・ユーザ・インターフェースのビューの中へ受信した画像コンテンツを呼び出すように構成される画像ビューアが含まれる。また、次のようなアプリケーションが開示される。このアプリケーションは、リモートの画像コンテンツ受信装置へ画像コンテンツを提供する画像コンテンツ提供モジュールを含み、さらに画像コンテンツ提供モジュールには、リモートの画像コンテンツ受信装置のグラフィカル・ユーザ・インターフェースのビューの中へ呼び出されることができる画像コンテンツを用意し前記画像コンテンツを前記リモートの画像コンテンツ受信装置へ送信するように構成される画像エディタが含まれる。上述のようなアプリケーションを保持する通信装置、対応する方法およびコンピュータ・プログラム、ならびに本発明を実装するシステムも、同様に開示される。【選択図】図１
2010505173.tif 000002
【特許請求の範囲】
【請求項１】
リモートの画像提供装置から画像コンテンツを受信する画像コンテンツ受信モジュールを含むアプリケーションであって、前記画像コンテンツ受信モジュールは、前記アプリケーションを保持している通信装置のグラフィカル・ユーザ・インターフェースのビューの中へ受信した画像コンテンツを呼び出すように構成される画像ビューアをさらに含む、アプリケーション。
【請求項２】
リモートの画像コンテンツ受信装置へ画像コンテンツを提供する画像コンテンツ提供モジュールをさらに含み、前記画像コンテンツ提供モジュールは、前記リモートの画像コンテンツ受信装置のグラフィカル・ユーザ・インターフェースのビューの中へ呼び出されることができる画像コンテンツを用意し前記画像コンテンツを前記リモートの画像コンテンツ受信装置へ送信するように構成される画像エディタをさらに含む、請求項１に記載のアプリケーション。
【請求項３】
前記画像コンテンツが、パーソナル・タグを含む、請求項１乃至２のいずれかに記載のアプリケーション。
【請求項４】
前記受信した画像コンテンツが、前記ビューの既存の背景画像の中へ呼び出される、請求項１乃至３のいずれかに記載のアプリケーション。
【請求項５】
リモートの画像コンテンツ受信装置へ画像コンテンツを提供する画像コンテンツ提供モジュールを含むアプリケーションであって、前記画像コンテンツ提供モジュールは、前記リモートの画像コンテンツ受信装置のグラフィカル・ユーザ・インターフェースのビューの中へ呼び出されることができる画像コンテンツを用意し前記画像コンテンツを前記リモートの画像コンテンツ受信装置へ送信するように構成される画像エディタをさらに含む、アプリケーション。
【請求項６】
リモートの画像提供装置から画像コンテンツを受信する画像コンテンツ受信モジュールをさらに含み、前記画像コンテンツ受信モジュールは、前記受信した画像コンテンツをグラフィカル・ユーザ・インターフェース・ビューの中へ呼び出すように構成される画像ビューアをさらに含む、請求項５に記載のアプリケーション。
【請求項７】
前記呼び出すことができる画像コンテンツが、パーソナル・タグを含む、請求項５乃至６のいずれかに記載のアプリケーション。
【請求項８】
前記画像提供モジュールが、画像コンテンツ・ライブラリにアクセスできる、請求項５乃至７のいずれかに記載のアプリケーション。
【請求項９】
ユーザが前記画像コンテンツを作成できるように、前記画像エディタが、ユーザと対話可能である、請求項５乃至８のいずれかに記載のアプリケーション。
【請求項１０】
信号を受信するように構成される受信機であって、前記信号は、画像コンテンツの表現を含む、前記受信機と、
グラフィカル・ユーザ・インターフェースと、
リモートの画像提供装置から受信した画像コンテンツを処理する画像コンテンツ受信モジュールであって、前記画像コンテンツ受信モジュールは、前記受信した画像コンテンツを前記グラフィカル・ユーザ・インターフェースのビューの中へ呼び出すように構成される画像ビューアをさらに含む、前記画像コンテンツ受信モジュールと、
を備える、通信装置。
【請求項１１】
送信機と、
リモートの画像コンテンツ受信装置へ画像コンテンツを提供する画像提供モジュールであって、前記画像コンテンツ提供モジュールは、前記リモートの画像コンテンツ受信装置のグラフィカル・ユーザ・インターフェースのビューの中へ呼び出されることができる画像コンテンツを用意するように構成される画像エディタをさらに含む、前記画像コンテンツ提供モジュールと、
をさらに備え、前記送信機は、前記画像コンテンツを前記リモートの画像コンテンツ受信装置へ送信するように構成される、請求項１０に記載の通信装置。
【請求項１２】
前記画像コンテンツが、パーソナル・タグを含む、請求項１０乃至１１のいずれかに記載の通信装置。
【請求項１３】
前記受信した画像コンテンツが、前記ビューの既存の背景画像の中へ呼び出される、請求項１０乃至１２のいずれかに記載の通信装置。
【請求項１４】
送信機と、
リモートの画像コンテンツ受信装置へ画像コンテンツを提供する画像コンテンツ提供モジュールであって、前記画像コンテンツ提供モジュールは、前記リモートの画像コンテンツ受信装置のグラフィカル・ユーザ・インターフェースのビューの中へ呼び出されることができる画像コンテンツを用意するように構成される画像エディタをさらに含む、前記画像提供モジュールと、
を備え、前記送信機は、前記画像コンテンツを前記リモートの画像コンテンツ受信装置へ送信するように構成される、通信装置。
【請求項１５】
画像コンテンツの表現を受信するように構成される受信機と、
グラフィカル・ユーザ・インターフェースと、
リモートの画像提供装置から受信した画像コンテンツを処理する画像コンテンツ受信モジュールであって、前記画像コンテンツ受信モジュールは、受信した画像コンテンツを前記グラフィカル・ユーザ・インターフェースのビューの中へ呼び出すように構成される画像ビューアをさらに含む、前記画像コンテンツ受信モジュールと、
をさらに備える、請求項１４に記載の通信装置。
【請求項１６】
前記呼び出すことができる画像コンテンツが、パーソナル・タグを含む、請求項１４乃至１５に記載の通信装置。
【請求項１７】
前記画像提供モジュールが、画像コンテンツ・ライブラリにアクセスできる、請求項１４乃至１６のいずれかに記載の通信装置。
【請求項１８】
ユーザが前記画像コンテンツを作成できるように、前記画像エディタが、ユーザと対話可能である、請求項１４乃至１７のいずれかに記載の通信装置。
【請求項１９】
通信装置のグラフィカル・ユーザ・インターフェース・ビューの中へ画像コンテンツを呼び出す方法であって、前記方法は、
リモートの通信装置から画像コンテンツを受信することと、
前記画像コンテンツを前記グラフィカル・ユーザ・インターフェース・ビューの中へ呼び出すことと、
前記グラフィカル・ユーザ・インターフェース・ビューを見せることと、
を含む、方法。
【請求項２０】
前記画像コンテンツを呼び出すことが、前記画像コンテンツを前記グラフィカル・ユーザ・インターフェース・ビューの既存の背景画像の中へ呼び出すことを含む、請求項１９に記載の方法。
【請求項２１】
リモートの通信機器のグラフィカル・ユーザ・インターフェース・ビューへ画像コンテンツを提供する方法であって、前記方法は、
前記グラフィカル・ユーザ・インターフェース・ビューの中へ呼び出すことができるように画像コンテンツを用意することと、
前記画像コンテンツを、前記リモートの通信装置へ送信することと、
を含む、方法。
【請求項２２】
前記用意することが、
画像コンテンツ・ライブラリから画像コンテンツにアクセスすることと、
前記アクセスされた画像コンテンツを編集することと、
をさらに含む、請求項２１に記載の方法。
【請求項２３】
前記用意することが、ユーザが前記画像コンテンツを対話式に作成できるようにすることをさらに含む、請求項２１乃至２２のいずれかに記載の方法。
【請求項２４】
通信装置のグラフィカル・ユーザ・インターフェース・ビューの中へ画像コンテンツを呼び出すための命令を含むコンピュータ実行可能な要素を有するコンピュータ可読媒体であって、前記命令が、
リモートの通信装置から画像コンテンツを受信すること；
前記グラフィカル・ユーザ・インターフェース・ビューの中へ前記画像コンテンツを呼び出すこと；
前記グラフィカル・ユーザ・インターフェース・ビューを見せること；
を含む、コンピュータ可読媒体。
【請求項２５】
前記画像コンテンツを呼び出すための命令が、前記画像コンテンツを前記グラフィカル・ユーザ・インターフェース・ビューの既存の背景画像の中へ呼び出すための命令を含む、請求項２４に記載の媒体。
【請求項２６】
リモートの通信装置のグラフィカル・ユーザ・インターフェース・ビューへ画像コンテンツを提供するための命令を含むコンピュータ実行可能な要素を有するコンピュータ可読媒体であって、前記命令が、
前記グラフィカル・ユーザ・インターフェース・ビューの中へ呼び出すことができるように画像コンテンツを用意すること；および
前記画像コンテンツを前記リモートの通信装置へ送信すること；
を含む、コンピュータ可読媒体。
【請求項２７】
前記用意するための命令が、
画像コンテンツ・ライブラリから画像コンテンツにアクセスすること、および
前記アクセスされた画像コンテンツを編集すること、
のための命令をさらに含む、請求項２６に記載の媒体。
【請求項２８】
前記用意するための命令が、ユーザが前記画像コンテンツを対話式に作成できるようにするための命令をさらに含む、請求項２６乃至２７のいずれかに記載の媒体。
【請求項２９】
電気通信ネットワークと、前記電気通信ネットワークと通信するように構成される第１および第２通信装置とを含むシステムであって、前記電気通信ネットワークは、前記第２通信装置によって前記第１通信装置のグラフィカル・ユーザ・インターフェース・ビューの中へ画像コンテンツを呼び出す画像コンテンツ呼び出しサービスを含む、システム。
【請求項３０】
前記画像コンテンツ呼び出しサービスを扱う画像コンテンツ呼び出しサービス・センタをさらに含む、請求項２９に記載のシステム。
【請求項３１】
前記画像コンテンツ呼び出しサービス・センタに関連している画像コンテンツ・サーバをさらに含む、請求項２９乃至３０のいずれかに記載のシステム。
【請求項３２】
前記画像コンテンツ呼び出しサービス・センタと前記電気通信ネットワークとを相互に接続する画像コンテンツ呼び出しゲートウェイをさらに含む、請求項２９乃至３１のいずれかに記載のシステム。
【発明の詳細な説明】
【技術分野】
【０００１】
本発明は、グラフィカル・ユーザ・インターフェース・ビューへの画像コンテンツの提供および／または呼び出しを行うアプリケーション、通信装置、方法、コンピュータ・プログラム、およびシステムに関する。
【発明の背景】
【０００２】
多くの通信装置には、ユーザをその装置と対話可能にするグラフィカル・ユーザ・インターフェース（ＧＵＩ：graphical user interface）が備わっている。パーソナライズされた背景画像またはテーマなど、ＧＵＩをパーソナライズする多数のやり方が提示されてきた。しかし、パーソナライズすることによってＧＵＩを向上させる必要性は、依然として存在する。
【発明の概要】
【０００３】
上記に鑑み、本発明の目的は、上述の問題を解決、もしくは少なくとも軽減することである。特に、１つの目的は、ＧＵＩをパーソナライズすることにおいて他者との結びつきに関する側面を強化することである。
【０００４】
本発明の第１態様によれば、リモートの画像提供装置から画像コンテンツを受信する画像コンテンツ受信モジュールを含むアプリケーションが提供され、さらに前記画像コンテンツ受信モジュールには、アプリケーションを保持している通信装置のグラフィカル・ユーザ・インターフェースのビューの中へ、受信した画像コンテンツを呼び出すように構成される画像ビューアが含まれる。
【０００５】
このアプリケーションは、さらに、リモートの画像コンテンツ受信装置へ画像コンテンツを提供する画像コンテンツ提供モジュールを含んでもよく、さらに前記画像コンテンツ提供モジュールには、前記リモートの画像コンテンツ受信装置のグラフィカル・ユーザ・インターフェースのビューの中へ呼び出されることができる画像コンテンツを用意し前記画像コンテンツを前記リモートの画像コンテンツ受信装置へ送信するように構成される画像エディタが含まれる。
【０００６】
画像コンテンツは、パーソナル・タグを含んでもよい。受信した画像コンテンツは、前記ビューの既存の背景画像の中へ呼び出すことができる。
【０００７】
本発明の第２態様によれば、リモートの画像コンテンツ受信装置へ画像コンテンツを提供する画像提供モジュールを含むアプリケーションが提供され、さらに前記画像コンテンツ提供モジュールには、前記リモートの画像コンテンツ受信装置のグラフィカル・ユーザ・インターフェースのビューの中へ呼び出されることができる画像コンテンツを用意し前記画像コンテンツを前記リモートの画像コンテンツ受信装置へ送信するように構成される画像エディタが含まれる。
【０００８】
このアプリケーションは、さらに、リモートの画像提供装置から画像コンテンツを受信する画像コンテンツ受信モジュールを含み、さらに前記画像コンテンツ受信モジュールには、前記受信した画像コンテンツをグラフィカル・ユーザ・インターフェース・ビューの中へ呼び出すように構成される画像ビューアが含まれる。
【０００９】
画像提供モジュールは、画像コンテンツ・ライブラリにアクセスできるとよい。
【００１０】
画像エディタは、ユーザが前記画像コンテンツを作成できるように、ユーザと対話可能であるとよい。
【００１１】
本発明の第３態様によれば、通信装置が提供され、本通信装置は以下を含む：信号を受信するように構成される受信機、ただし前記信号は、画像コンテンツの表現を含む；グラフィカル・ユーザ・インターフェース；リモートの画像提供装置から受信した画像コンテンツを処理する画像コンテンツ受信モジュール、ただし前記画像コンテンツ受信モジュールには、受信した画像コンテンツを前記グラフィカル・ユーザ・インターフェースのビューの中へ呼び出すように構成される画像ビューアがさらに含まれる。
【００１２】
本通信装置は、さらに、送信機と、リモートの画像コンテンツ受信装置へ画像コンテンツを提供する画像提供モジュールとを含み、さらに前記画像コンテンツ提供モジュールには、前記リモートの画像コンテンツ受信装置のグラフィカル・ユーザ・インターフェースのビューの中へ呼び出されることができる画像コンテンツを用意するように構成される画像エディタが含まれ、前記送信機は、前記画像コンテンツを前記リモートの画像コンテンツ受信装置へ送信するように構成される。
【００１３】
画像コンテンツは、パーソナル・タグを含んでもよい。
【００１４】
受信した画像コンテンツは、前記ビューの既存の背景画像の中へ呼び出すことができる。
【００１５】
本発明の第４態様によれば、通信装置が提供され、本通信装置は、送信機と、リモートの画像コンテンツ受信装置へ画像コンテンツを提供する画像提供モジュールとを含み、さらに前記画像コンテンツ提供モジュールには、前記リモートの画像コンテンツ受信装置のグラフィカル・ユーザ・インターフェースのビューの中へ呼び出されることができる画像コンテンツを用意するように構成される画像エディタが含まれ、前記送信機は、前記画像コンテンツを前記リモートの画像コンテンツ受信装置へ送信するように構成される。
【００１６】
本通信装置は、さらに、画像コンテンツの表現を受信するように構成される受信機と、グラフィカル・ユーザ・インターフェースと、リモートの画像提供装置から受信した画像コンテンツを処理する画像コンテンツ受信モジュールとを含み、さらに前記画像コンテンツ受信モジュールには、受信した画像コンテンツを前記グラフィカル・ユーザ・インターフェースのビューの中へ呼び出すように構成される画像ビューアが含まれる。
【００１７】
呼び出すことができる画像コンテンツは、パーソナル・タグを含んでもよい。画像提供モジュールは、画像コンテンツ・ライブラリにアクセスできるとよい。画像エディタは、ユーザが前記画像コンテンツを作成できるように、ユーザと対話可能であるとよい。
【００１８】
本発明の第５態様によれば、通信装置のグラフィカル・ユーザ・インターフェース・ビューの中へ画像コンテンツを呼び出す方法が提供され、本方法は、リモートの通信装置から画像コンテンツを受信することと、前記画像コンテンツを前記グラフィカル・ユーザ・インターフェース・ビューの中へ呼び出すことと、前記グラフィカル・ユーザ・インターフェース・ビューを見せることと、を含む。
【００１９】
前記画像コンテンツを呼び出すことは、前記画像コンテンツを、前記グラフィカル・ユーザ・インターフェース・ビューの既存の背景画像の中へ呼び出すことを含むとよい。
【００２０】
本発明の第６態様によれば、リモートの通信装置のグラフィカル・ユーザ・インターフェース・ビューへ画像コンテンツを提供する方法が提供され、本方法は、前記グラフィカル・ユーザ・インターフェース・ビューの中へ呼び出すことができるように画像コンテンツを用意することと、前記画像コンテンツを前記リモートの通信装置へ送信することと、を含む。
【００２１】
前記用意することは、さらに、画像コンテンツ・ライブラリから画像コンテンツにアクセスすることならびに前記アクセスされた画像コンテンツを編集することを含むか、あるいは、ユーザが前記画像コンテンツを対話式に作成できるようにすることを含む。
【００２２】
本発明の第７態様によれば、通信装置のグラフィカル・ユーザ・インターフェース・ビューの中へ画像コンテンツを呼び出すための、次のような命令を含むコンピュータ実行可能な要素を有するコンピュータ可読媒体が提供される。前記命令は、リモートの通信装置から画像コンテンツを受信すること；前記画像コンテンツを前記グラフィカル・ユーザ・インターフェース・ビューの中へ呼び出すこと；前記グラフィカル・インターフェース・ビューを見せること；を含む。
【００２３】
前記画像コンテンツを呼び出すための命令は、前記画像コンテンツを、前記グラフィカル・ユーザ・インターフェース・ビューの既存の背景画像の中へ呼び出すための命令を含むとよい。
【００２４】
本発明の第８態様によれば、リモートの通信装置のグラフィカル・ユーザ・インターフェース・ビューへ画像コンテンツを提供するための次のような命令を含むコンピュータ実行可能な要素を有するコンピュータ可読媒体が提供される。前記命令は、前記グラフィカル・ユーザ・インターフェース・ビューの中へ呼び出すことができるように画像コンテンツを用意すること；および、前記画像コンテンツを前記リモートの通信装置へ送信すること；を含む。
【００２５】
前記用意するための命令には、さらに、画像コンテンツ・ライブラリからの画像コンテンツへのアクセス、および前記アクセスされた画像コンテンツの編集を行うための命令を含めるとよい。
【００２６】
前記用意するための命令には、さらに、ユーザが前記画像コンテンツを対話式に作成できるようにするための命令を含めるとよい。
【００２７】
本発明の第９態様によれば、電気通信ネットワークと、前記電気通信ネットワークと通信するように構成される第１および第２通信装置とを含むシステムが提供され、前記電気通信ネットワークは、前記第２通信装置によって前記第１通信装置のグラフィカル・ユーザ・インターフェース・ビューの中へ画像コンテンツを呼び出す画像コンテンツ呼び出しサービスを含む。
【００２８】
本システムは、さらに、前記画像コンテンツ呼び出しサービスを扱う画像コンテンツ呼び出しサービス・センタを含むとよい。本システムは、従って、前記画像コンテンツ呼び出しサービス・センタに関連している画像コンテンツ・サーバをさらに含むとよい。本システムは、さらに、前記画像コンテンツ呼び出しサービス・センタと前記電気通信ネットワークとを相互に接続する画像コンテンツ呼び出しゲートウェイを含むとよい。
【００２９】
一般に、請求項にて使用される用語は全て、本明細書において明確に別段の定めのない限り、技術分野におけるその通常の意味に従って解釈されるべきである。或る要素、デバイス、コンポーネント、手段、ステップなどへの言及は全て、明確に別段の記載のない限り、上記の要素、デバイス、コンポーネント、手段、ステップなどの少なくとも１つの例を指しているものと広く解釈されるべきである。本明細書に開示されるあらゆる方法のステップ群は、明確に記載のない限り、開示された通りの厳密な順序で実行する必要はない。
【００３０】
本発明のその他の目的、特徴および利点は、以下の詳細な説明、添付の従属する請求項、ならびに図面によって明らかになる。
【００３１】
本発明の、上記ならびに追加的な目的、特徴および利点は、以下、本発明の好適な実施形態の例示的で限定されない詳細な説明を通じ、添付の図面に関連して、よりよく理解される。図面では、同様の要素に関しては同じ参照番号を使用している。
【図面の簡単な説明】
【００３２】
【図１】本発明の一実施形態によるアプリケーションを概略的に示す図である。
【図２】本発明の一実施形態による通信装置を概略的に示す図である。
【図３】受信通信装置のＧＵＩビューの中へ画像コンテンツを呼び出す方法を示すフロー図である。
【図４】リモートの通信装置のＧＵＩビューへ画像コンテンツを提供する方法の基本動作を示すフロー図である。
【図５】リモートの通信装置のＧＵＩビューへ画像コンテンツを提供する、本発明の一実施形態による方法を示すフロー図である。
【図６】リモートの通信装置のＧＵＩビューへ画像コンテンツを提供する、本発明の一実施形態による方法を示すフロー図である。
【図７】プロセッサを含んだデバイスにて実行される命令を備えたコンピュータ実行可能な要素を含むコンピュータ可読媒体を概略的に示す図である。
【図８】本発明の一実施形態による、システムを管理するシステム・アーキテクチャを概略的に示す図である。
【図９】本発明の一実施形態による使用事例を示す図である。
【好適な実施形態の詳細な説明】
【００３３】
図１は、本発明の一実施形態によるアプリケーション１００を概略的に示す図である。アプリケーション１００は、画像コンテンツ受信モジュール１０２を含むことができる。画像コンテンツ受信モジュール１０２は、例えば友人の移動電話からなどリモートの装置から、例えば手書きに見え得る付箋などの画像コンテンツを、受信するように構成される。画像コンテンツ受信モジュール１０２は、さらに、このアプリケーションが実装されている通信装置のグラフィカル・ユーザ・インターフェースのビューの中へ、受信した画像コンテンツを呼び出すように構成される。この呼び出しは、例えば、グラフィカル・ユーザ・インターフェース（ＧＵＩ）の、「壁紙」とも呼ばれる背景画像上に描かれる付箋とすることもできる。これにより、その人の通信装置のＧＵＩ上へ電子的なやり方でサインを残すことによって、誰かに注意を向けさせる方法がもたらされる。これをスムーズに実行可能にするには、画像コンテンツの受信者が、画像コンテンツ送信者のうちの誰かあるいは選ばれたグループに対して、このタイプの画像コンテンツを通信装置上で受け入れ可能にしておくことが好ましい。
【００３４】
アプリケーション１００は、さらに、画像コンテンツ提供モジュール１０４を含むことができる。このアプリケーションは、画像コンテンツ受信モジュール１０２および画像コンテンツ提供モジュール１０４の両方を含むこともできるが、これら１０２および１０４のどちらかを別々に含むこともできる。画像コンテンツ提供モジュール１０４には、１０２と同様のアプリケーションでありながら別のリモートの装置上にあるアプリケーションによって呼び出すことができるように画像を用意する、画像エディタを含めることもできる。
【００３５】
従って、画像コンテンツ提供モジュール１０４は、例えばアプリケーション１００が実装されている装置の利用可能な任意の通信インターフェースを介するなどして、用意された画像コンテンツを送信するようにもなっている。画像の用意とは、画像コンテンツ提供モジュール１０４の作成機能によりユーザが一から作ること、あるいは１つ以上の画像を保持している画像コンテンツ・ライブラリ１０６にアクセスして作ることのいずれかでありうる。画像コンテンツ・ライブラリ１０６に保持される画像は、最終的に、ユーザにより編集されたり、画像コンテンツ提供モジュールにより送信の用意がされたりしうる。
【００３６】
図２は、本発明の一実施形態による通信装置２００を概略的に示す。通信装置２００は、図１に関連して記載したいずれかのタイプであり得るアプリケーション２０２を含む。通信装置２００には、さらに、画像コンテンツの表現を含んだ信号を受信可能な受信機２０４を含めることができる。信号は、通信装置へワイヤレスに、例えば受信機２０４に接続されているアンテナ２０５へ、通信可能である。画像コンテンツは、従って、取り出されてアプリケーション２０２へ提供され、該アプリケーションでは、画像コンテンツ受信モジュール２０３によって対処される。次にはこの画像コンテンツ受信モジュールが、図１に関連して記載したように、例えば画像コンテンツをグラフィカル・ユーザ・インターフェース（ＧＵＩ）２０６の既存の背景画像の中へ呼び出すことなどによって、この画像コンテンツを通信装置２００のＧＵＩ２０６のビューに提供する。
【００３７】
通信装置２００には、さらに、送信機２０８を含めることもできる。この送信機は、上述のワイヤレスの事例ではアンテナ２０５に接続されているものであり、リモートの通信装置（図示せず）へ画像コンテンツを送信することができる。通信装置２００は、上述のように画像コンテンツの受信および呼び出しを可能とするか、あるいは上述のように画像コンテンツの提供および送信を可能とすることができる。通信装置２００がこれらの機能をどちらも有し、かつこれらの機能の使用の可否がユーザに制御されていることが好ましい。送信機２０８は、アプリケーション２０２の画像コンテンツ提供モジュール２０９から、画像コンテンツを提供される。画像コンテンツ提供モジュール２０９の特徴は、図１にて画像コンテンツ提供モジュール１０４に関して示した特徴と類似するものであり、図１の画像コンテンツ・ライブラリ１０６と同様の画像コンテンツ・ライブラリ２１０へアクセス可能とすることができる。送信機２０８によって送信される画像コンテンツは、リモートの通信装置のＧＵＩビューにて受信および呼び出しできるように、所定の形式であることが望ましい。通信装置２００は、例えば移動電話、パーソナル・デジタル・アシスタント、またはＧＵＩを利用した任意の通信装置とすることができる。
【００３８】
図３は、受信通信装置のＧＵＩビューの中へ画像コンテンツを呼び出す方法を示すフロー図である。リモートの通信装置から画像コンテンツを受信する（３００）。次いで、画像コンテンツをＧＵＩビューの中へ呼び出す（３０２）。このことは、受信通信装置のグラフィック機構が、受信した画像コンテンツと例えばＧＵＩの背景画像などの既存のＧＵＩビューとをマージ（合体）することによって、実行することが好ましい。マージ操作の目的は、画像コンテンツが既存のＧＵＩビューへ描画または貼り付けされたように見えるようにすることである。マージされたＧＵＩビューは、その後、既存のＧＵＩビューが表示されていたのと同様のやり方で表示される（３０４）。
【００３９】
図４は、リモートの通信装置のＧＵＩビューへ画像コンテンツを提供する方法の基本動作を示すフロー図である。画像コンテンツが、リモートの通信装置のＧＵＩビューの中へ呼び出すことができるように用意される（４００）。このことは、リモートの通信装置のグラフィック機構による、受信した画像コンテンツと例えばＧＵＩの背景画像などの既存のＧＵＩビューとのマージが可能となるように、実行されることが好ましい。マージ操作の目的は、画像コンテンツがリモートの通信装置の既存のＧＵＩビューへ描画または貼り付けされたように見えるようにすることである。画像コンテンツは、用意されると、リモートの通信装置へ送信４０２される。このことは、例えば、Ｂｌｕｅｔｏｏｔｈ（登録商標）、ＩｒＤＡなどの短距離通信リンクによって実行することもできるし、あるいはセルラ通信システムなどの通信ネットワークによって実行することもできる。
【００４０】
図５は、リモートの通信装置のＧＵＩビューへ画像コンテンツを提供する、本発明の一実施形態による方法を示すフロー図である。画像コンテンツは、画像コンテンツ・ライブラリからアクセスされる（５００）。画像コンテンツは、その後、例えば画像コンテンツにユーザの独自色を加えるべく、編集される（５０２）。画像コンテンツは、さらに、リモートの通信装置のＧＵＩビューの中へ呼び出すことができるように準備される。このことは、リモートの通信装置のグラフィック機構による、受信した画像コンテンツと例えばＧＵＩの背景画像などの既存のＧＵＩビューとのマージ（合体）が可能となるように、実行されることが好ましい。マージ操作の目的は、画像コンテンツがリモートの通信装置の既存のＧＵＩビューへ描画または貼り付けされたように見えるようにすることである。画像コンテンツは、用意されると、図４に関連して記載の一般的な画像提供方法に関する説明と同様のやり方で、通信装置へ送信される（５０４）。
【００４１】
図６は、リモートの通信装置のＧＵＩビューへ画像コンテンツを提供する、本発明の一実施形態による方法を示すフロー図である。画像コンテンツが、ユーザと対話式に作成される（６００）。画像コンテンツは、さらに、リモートの通信装置のＧＵＩビューの中へ呼び出すことができるように用意される。このことは、リモートの通信装置のグラフィック機構による、受信した画像コンテンツと例えばＧＵＩの背景画像などの既存のＧＵＩビューとのマージが可能となるように、実行されることが好ましい。マージ操作の目的は、画像コンテンツがリモートの通信装置の既存のＧＵＩビューへ描画または貼り付けされたように見えるようにすることである。画像コンテンツは、用意されると、図４に関連して記載の一般的な画像提供方法に関する説明と同様のやり方で、通信装置へ送信される（６０２）。
【００４２】
図７は、プロセッサを含んだデバイス７０２にて実行される命令を備えたコンピュータ実行可能な要素を含むコンピュータ可読媒体７００を概略的に示す。デバイス７０２は、例えば、セル方式電話、パーソナル・デジタル・アシスタント、パーソナル・コンピュータ、またはコンタクト情報サーバとすることができる。該命令は、デバイスが、図３乃至６に関連して述べたアクションを実行できるようにする。
【００４３】
本発明は、ピア・ツー・ピア・レベルで使用することができ、言い換えれば、あるユーザが、例えばＢｌｕｅｔｏｏｔｈ技術などの短距離技術を介してまたはセルラ通信ネットワークによって、別のユーザのディスプレイ・ビューの中へ付箋または他の画像コンテンツを入れることができる。
【００４４】
図８には、本発明の一実施形態によるシステム８００を管理するシステム・アーキテクチャを示す。ホーム・ロケーション・レジスタ（ＨＬＲ：Home Location Register）８０２は、電気通信サービスを提供するための、関連加入者情報を含んだデータ・ベース（図示せず）を含む。ＣＣＩＴＴ仕様のネットワーク８０４が、システム８００の個々の部分を相互に接続する。アドバタイジング・ゲートウェイ８０６は、移動通信装置８０８〜８１２へアドバタイズ・メッセージを配信する交換ユニットである。アドバタイジング・サービス・センタ（ＡＳＣ：Advertising Service Center）８１４およびアドバタイジング・ゲートウェイ８０６は、ＡＳＣ８１４とネットワーク８０４との間のアドバタイズ・メッセージの処理および配信を行う。ネットワーク８０４から移動通信装置８０８〜８１２へは、画像コンテンツ・メッセージが、移動交換局（ＭＳＣ：Mobile Switching Center）８１６によって、基地局コントローラ（ＢＳＣ：Base Station Controller）８１７および基地送受信局（ＢＴＳ：Base Transceiver Station）８２０、８２１に向けて、または無線ネットワーク・コントローラ（ＲＮＣ：Radio Network Controller）８１８およびノードＢ８２２に向けて、配信される。
【００４５】
あるいは、画像コンテンツ・メッセージは、移動通信装置８０８〜８１２へ、サービングＧＰＲＳサポート・ノード（ＳＧＳＮ：Ｓｅｒｖｉｎｇ  ＧＰＲＳ  Ｓｕｐｐｏｒｔ  Ｎｏｄｅ）８２６、８２８によって、ＢＳＣ８１７およびＢＴＳ８２０、８２１に向けて、またはＲＮＣ８１８およびＮｏｄｅＢ８２２に向けて、それぞれ配信される。ＢＴＳ８２０、８２１またはＮｏｄｅＢ８２２は、移動通信装置８０８〜８１２への電波接続を確立している。
【００４６】
本発明の一実施形態によれば、画像コンテンツ・サーバ８２４を取り扱っているネットワーク・オペレータまたはその他のサードパーティ企業が、画像コンテンツを呼び出すための画像コンテンツ機能を提供することが可能となるであろう。例えば、ネットワーク・オペレータが、以下の機能をサポートする画像コンテンツ・サーバ８２４を有していてもよい。この機能では、「送信者」が例えば付箋を提供し、「受信者」が各自の移動通信装置８０８〜８１２から画像コンテンツ・サーバ８２４へ呼び出しの承認を送信するとよい。受信者は、この承認と引き換えに、自身が送信者となる機能を与えられ、他の受信者に対して付箋を送ることができる。この画像コンテンツ・サーバ８２４は、画像コンテンツ・サーバ８２４に対して似たような承認を送信している人たちを「タギング・グループ」または「グラフィティ・ウォール」へ自動的に分類するとよい。
【００４７】
図９は、第１ユーザ（左側）が、既存のＧＵＩビューを備えた通信装置（右上）を有している第２ユーザ（右側）へ画像コンテンツを提供する使用事例を示す。第１ユーザは、画像コンテンツを作成し（左上）、画像コンテンツが第１ユーザの納得するものであれば、その画像コンテンツを第２ユーザへ送信する（左下）。第２ユーザの通信装置のＧＵＩビューは、その後、既存のＧＵＩビューの中へ画像コンテンツを呼び出し、マージされたＧＵＩビューを表示する（右下）。
【００４８】
本発明を、概していくつかの実施形態に関連して上記に記載してきた。一方、当業者にはすぐに分かることであるが、添付の特許請求項に定めるように、上記に開示した実施形態以外の実施形態も本発明の範囲内で同様に実現可能である。
【図１】
2010505173.tif 000003
【図２】
2010505173.tif 000004
【図３】
2010505173.tif 000005
【図４】
2010505173.tif 000006
【図５】
2010505173.tif 000007
【図６】
2010505173.tif 000008
【図７】
2010505173.tif 000009
【図８】
2010505173.tif 000010
【図９】
2010505173.tif 000011
【手続補正書】
【提出日】平成20年7月16日(2008.7.16)
【手続補正１】
【補正対象書類名】特許請求の範囲
【補正対象項目名】全文
【補正方法】変更
【補正の内容】
【特許請求の範囲】
【請求項１】
リモートの画像提供装置から画像コンテンツを受信する画像コンテンツ受信モジュールを含むアプリケーションであって、前記画像コンテンツ受信モジュールは、前記アプリケーションを保持している通信装置のグラフィカル・ユーザ・インターフェースのビューの既存の背景画像の中へ受信した画像コンテンツを呼び出すように構成される画像ビューアをさらに含む、アプリケーション。
【請求項２】
リモートの画像コンテンツ受信装置へ画像コンテンツを提供する画像コンテンツ提供モジュールをさらに含み、前記画像コンテンツ提供モジュールは、前記リモートの画像コンテンツ受信装置のグラフィカル・ユーザ・インターフェースのビューの中へ呼び出されることができる画像コンテンツを用意し前記画像コンテンツを前記リモートの画像コンテンツ受信装置へ送信するように構成される画像エディタをさらに含む、請求項１に記載のアプリケーション。
【請求項３】
前記画像コンテンツが、パーソナル・タグを含む、請求項１乃至２のいずれかに記載のアプリケーション。
【請求項４】
リモートの画像コンテンツ受信装置へ画像コンテンツを提供する画像コンテンツ提供モジュールを含むアプリケーションであって、前記画像コンテンツ提供モジュールは、前記リモートの画像コンテンツ受信装置のグラフィカル・ユーザ・インターフェースのビューの既存の背景画像の中へ呼び出されることができる画像コンテンツを用意し前記画像コンテンツを前記リモートの画像コンテンツ受信装置へ送信するように構成される画像エディタをさらに含む、アプリケーション。
【請求項５】
リモートの画像提供装置から画像コンテンツを受信する画像コンテンツ受信モジュールをさらに含み、前記画像コンテンツ受信モジュールは、前記受信した画像コンテンツをグラフィカル・ユーザ・インターフェース・ビューの中へ呼び出すように構成される画像ビューアをさらに含む、請求項４に記載のアプリケーション。
【請求項６】
前記呼び出すことができる画像コンテンツが、パーソナル・タグを含む、請求項４乃至５のいずれかに記載のアプリケーション。
【請求項７】
前記画像提供モジュールが、画像コンテンツ・ライブラリにアクセスできる、請求項４乃至６のいずれかに記載のアプリケーション。
【請求項８】
ユーザが前記画像コンテンツを作成できるように、前記画像エディタが、ユーザと対話可能である、請求項４乃至７のいずれかに記載のアプリケーション。
【請求項９】
信号を受信するように構成される受信機であって、前記信号は、画像コンテンツの表現を含む、前記受信機と、
グラフィカル・ユーザ・インターフェースと、
リモートの画像提供装置から受信した画像コンテンツを処理する画像コンテンツ受信モジュールであって、前記画像コンテンツ受信モジュールは、前記受信した画像コンテンツを前記グラフィカル・ユーザ・インターフェースのビューの既存の背景画像の中へ呼び出すように構成される画像ビューアをさらに含む、前記画像コンテンツ受信モジュールと、
を備える、通信装置。
【請求項１０】
送信機と、
リモートの画像コンテンツ受信装置へ画像コンテンツを提供する画像提供モジュールであって、前記画像コンテンツ提供モジュールは、前記リモートの画像コンテンツ受信装置のグラフィカル・ユーザ・インターフェースのビューの中へ呼び出されることができる画像コンテンツを用意するように構成される画像エディタをさらに含む、前記画像コンテンツ提供モジュールと、
をさらに備え、前記送信機は、前記画像コンテンツを前記リモートの画像コンテンツ受信装置へ送信するように構成される、請求項９に記載の通信装置。
【請求項１１】
前記画像コンテンツが、パーソナル・タグを含む、請求項９乃至１０のいずれかに記載の通信装置。
【請求項１２】
送信機と、
リモートの画像コンテンツ受信装置へ画像コンテンツを提供する画像コンテンツ提供モジュールであって、前記画像コンテンツ提供モジュールは、前記リモートの画像コンテンツ受信装置のグラフィカル・ユーザ・インターフェースのビューの既存の背景画像の中へ呼び出されることができる画像コンテンツを用意するように構成される画像エディタをさらに含む、前記画像提供モジュールと、
を備え、前記送信機は、前記画像コンテンツを前記リモートの画像コンテンツ受信装置へ送信するように構成される、通信装置。
【請求項１３】
画像コンテンツの表現を受信するように構成される受信機と、
グラフィカル・ユーザ・インターフェースと、
リモートの画像提供装置から受信した画像コンテンツを処理する画像コンテンツ受信モジュールであって、前記画像コンテンツ受信モジュールは、受信した画像コンテンツを前記グラフィカル・ユーザ・インターフェースのビューの中へ呼び出すように構成される画像ビューアをさらに含む、前記画像コンテンツ受信モジュールと、
をさらに備える、請求項１２に記載の通信装置。
【請求項１４】
前記呼び出すことができる画像コンテンツが、パーソナル・タグを含む、請求項１２乃至１３に記載の通信装置。
【請求項１５】
前記画像提供モジュールが、画像コンテンツ・ライブラリにアクセスできる、請求項１２乃至１４のいずれかに記載の通信装置。
【請求項１６】
ユーザが前記画像コンテンツを作成できるように、前記画像エディタが、ユーザと対話可能である、請求項１２乃至１５のいずれかに記載の通信装置。
【請求項１７】
通信装置のグラフィカル・ユーザ・インターフェース・ビューの既存の背景画像の中へ画像コンテンツを呼び出す方法であって、前記方法は、
リモートの通信装置から画像コンテンツを受信することと、
前記画像コンテンツを前記グラフィカル・ユーザ・インターフェース・ビューの中へ呼び出すことと、
前記グラフィカル・ユーザ・インターフェース・ビューを見せることと、
を含む、方法。
【請求項１８】
リモートの通信機器のグラフィカル・ユーザ・インターフェース・ビューの既存の背景画像へ画像コンテンツを提供する方法であって、前記方法は、
前記グラフィカル・ユーザ・インターフェース・ビューの中へ呼び出すことができるように画像コンテンツを用意することと、
前記画像コンテンツを、前記リモートの通信装置へ送信することと、
を含む、方法。
【請求項１９】
前記用意することが、
画像コンテンツ・ライブラリから画像コンテンツにアクセスすることと、
前記アクセスされた画像コンテンツを編集することと、
をさらに含む、請求項１８に記載の方法。
【請求項２０】
前記用意することが、ユーザが前記画像コンテンツを対話式に作成できるようにすることをさらに含む、請求項１８乃至１９のいずれかに記載の方法。
【請求項２１】
通信装置のグラフィカル・ユーザ・インターフェース・ビューの既存の背景画像の中へ画像コンテンツを呼び出すための命令を含むコンピュータ実行可能な要素を有するコンピュータ可読媒体であって、前記命令が、
リモートの通信装置から画像コンテンツを受信すること；
前記グラフィカル・ユーザ・インターフェース・ビューの中へ前記画像コンテンツを呼び出すこと；
前記グラフィカル・ユーザ・インターフェース・ビューを見せること；
を含む、コンピュータ可読媒体。
【請求項２２】
リモートの通信装置のグラフィカル・ユーザ・インターフェース・ビューの既存の背景画像へ画像コンテンツを提供するための命令を含むコンピュータ実行可能な要素を有するコンピュータ可読媒体であって、前記命令が、
前記グラフィカル・ユーザ・インターフェース・ビューの中へ呼び出すことができるように画像コンテンツを用意すること；および
前記画像コンテンツを前記リモートの通信装置へ送信すること；
を含む、コンピュータ可読媒体。
【請求項２３】
前記用意するための命令が、
画像コンテンツ・ライブラリから画像コンテンツにアクセスすること、および
前記アクセスされた画像コンテンツを編集すること、
のための命令をさらに含む、請求項２２に記載の媒体。
【請求項２４】
前記用意するための命令が、ユーザが前記画像コンテンツを対話式に作成できるようにするための命令をさらに含む、請求項２２乃至２３のいずれかに記載の媒体。
【請求項２５】
電気通信ネットワークと、前記電気通信ネットワークと通信するように構成される第１および第２通信装置とを含むシステムであって、前記電気通信ネットワークは、前記第２通信装置によって前記第１通信装置のグラフィカル・ユーザ・インターフェース・ビューの既存の背景画像の中へ画像コンテンツを呼び出す画像コンテンツ呼び出しサービスを含む、システム。
【請求項２６】
前記画像コンテンツ呼び出しサービスを扱う画像コンテンツ呼び出しサービス・センタをさらに含む、請求項２５に記載のシステム。
【請求項２７】
前記画像コンテンツ呼び出しサービス・センタに関連している画像コンテンツ・サーバをさらに含む、請求項２５乃至２６のいずれかに記載のシステム。
【請求項２８】
前記画像コンテンツ呼び出しサービス・センタと前記電気通信ネットワークとを相互に接続する画像コンテンツ呼び出しゲートウェイをさらに含む、請求項２５乃至２７のいずれかに記載のシステム。
【国際調査報告】
2010505173.tif 000012
2010505173.tif 000013
2010505173.tif 000014